(57)【要約】【課題】コンテンツ中の視聴したい箇所を探索する探索性と、コンテンツの視聴性との両立を考慮した高速再生を行うための情報処理装置、情報処理方法、及びプログラムを提供する。【解決手段】情報処理装置は、コンテンツの再生速度に応じた時間間隔で、コンテンツ再生における時間軸上の基準位置を決定する基準位置決定部と、上記基準位置に基づいた前記時間軸上の探索範囲を設定する探索範囲設定部と、それぞれの上記探索範囲における上記コンテンツのメタデータに基づいて、上記コンテンツの再生において表示される表示画像を選択する選択部とを有する。【選択図】図１
2013157061.tif 000002
【特許請求の範囲】
【請求項１】
コンテンツの再生速度に応じた時間間隔で、コンテンツ再生における時間軸上の基準位置を決定する基準位置決定部と、
前記基準位置に基づいた前記時間軸上の探索範囲を設定する探索範囲設定部と、
それぞれの前記探索範囲における前記コンテンツのメタデータに基づいて、前記コンテンツの再生において表示される表示画像を選択する選択部と、
を備える、情報処理装置。
【請求項２】
前記選択部は、前記探索範囲内において複数の前記表示画像を選択する、
請求項１に記載の情報処理装置。
【請求項３】
前記探索範囲設定部は、前記再生速度に基づいた大きさの前記探索範囲を設定する、
請求項１に記載の情報処理装置。
【請求項４】
前記探索範囲設定部は、前記再生速度が速いほど大きい前記探索範囲を設定する、
請求項３に記載の情報処理装置。
【請求項５】
前記メタデータは、前記コンテンツに設定されたチャプターポイントの情報を含む、
請求項１に記載の情報処理装置。
【請求項６】
前記メタデータは、前記コンテンツの特徴量の情報を含む、
請求項１に記載の情報処理装置。
【請求項７】
前記メタデータは、前記コンテンツの特徴量及びチャプターポイントの情報を含み、
前記選択部は、前記特徴量よりも前記チャプターポイントの情報を優先して前記表示画像を選択する、
請求項１に記載の情報処理装置。
【請求項８】
選択された前記表示画像を表示させる表示制御部、
をさらに備える、請求項１に記載の情報処理装置。
【請求項９】
選択された前記表示画像の情報を送信する送信部、
をさらに備える、請求項１に記載の情報処理装置。
【請求項１０】
コンテンツの再生速度に応じた時間間隔で、コンテンツ再生における時間軸上の基準位置を決定することと、
前記基準位置に基づいた前記時間軸上の探索範囲を設定することと、
それぞれの前記探索範囲における前記コンテンツのメタデータに基づいて、前記コンテンツの再生において表示される表示画像を選択することと、
を含む、情報処理方法。
【請求項１１】
コンピュータを、
コンテンツの再生速度に応じた時間間隔で、コンテンツ再生における時間軸上の基準位置を決定する基準位置決定部と、
前記基準位置に基づいた前記時間軸上の探索範囲を設定する探索範囲設定部と、
それぞれの前記探索範囲における前記コンテンツのメタデータに基づいて、前記コンテンツの再生において表示される表示画像を選択する選択部と、
を備える、情報処理装置として機能させるためのプログラム。
【請求項１２】
ビデオデータの再生速度に基づいて前記ビデオデータの時間軸上の所定の時間間隔を設定する時間間隔設定部と、
前記所定の時間間隔にもとづいて、前記ビデオデータの時間軸上に複数の探索範囲を設定する探索範囲設定部と、
前記ビデオデータのメタデータにもとづいて、前記複数の探索範囲に存在する前記ビデオデータを順次再生する再生部と、
を有する情報処理装置。
【請求項１３】
前記探索範囲設定部は、前記再生速度に基づいた大きさの前記探索範囲を設定する、
請求項１２に記載の情報処理装置。
【請求項１４】
前記探索範囲設定部は、前記再生速度が速いほど大きい前記探索範囲を設定する、
請求項１３に記載の情報処理装置、
【請求項１５】
ビデオデータの再生速度に基づいて前記ビデオデータの時間軸上の所定の時間間隔を設定し、
前記所定の時間間隔に基づいて、前記ビデオデータの時間軸上に複数の探索範囲を設定し、
前記ビデオデータのメタデータに基づいて、前記複数の探索範囲に存在する前記ビデオデータを順次再生する、
情報処理方法。
【発明の詳細な説明】
【技術分野】
【０００１】
本開示は、情報処理装置、情報処理方法、及びプログラムに関する。
【背景技術】
【０００２】
近年、ユーザの扱うコンテンツ量は増大している。ところが、ユーザがコンテンツの視聴のために使える時間は限られている。このため、ユーザが効率よくコンテンツを視聴するための様々な方法が提案されてきた。例えば特許文献１には、エントリーポイントの優先度に基づいて高速再生する方法が提案されている。
【先行技術文献】
【特許文献】
【０００３】
【特許文献１】特開２００６−１６４３３７号公報
【発明の概要】
【発明が解決しようとする課題】
【０００４】
しかし、コンテンツ中の視聴したい箇所を探索する探索性と、コンテンツの視聴性との両立を考慮した方法は提案されていなかった。
【課題を解決するための手段】
【０００５】
本開示によれば、コンテンツの再生速度に応じた時間間隔で、コンテンツ再生における時間軸上の基準位置を決定する基準位置決定部と、前記基準位置に基づいた前記時間軸上の探索範囲を設定する探索範囲設定部と、それぞれの前記探索範囲における前記コンテンツのメタデータに基づいて、前記コンテンツの再生において表示される表示画像を選択する選択部と、を有する情報処理装置が提供される。
【０００６】
また本開示によれば、コンテンツの再生速度に応じた時間間隔で、コンテンツ再生における時間軸上の基準位置を決定することと、前記基準位置に基づいた前記時間軸上の探索範囲を設定することと、それぞれの前記探索範囲における前記コンテンツのメタデータに基づいて、前記コンテンツの再生において表示される表示画像を選択することと、を含む情報処理方法が提供される。
【０００７】
また本開示によれば、コンピュータを、コンテンツの再生速度に応じた時間間隔で、コンテンツ再生における時間軸上の基準位置を決定する基準位置決定部と、前記基準位置に基づいた前記時間軸上の探索範囲を設定する探索範囲設定部と、それぞれの前記探索範囲における前記コンテンツのメタデータに基づいて、前記コンテンツの再生において表示される表示画像を選択する選択部と、を有する情報処理装置として機能させるためのプログラムが提供される。
【０００８】
また本開示によれば、ビデオデータの再生速度に基づいて前記ビデオデータの時間軸上の所定の時間間隔を設定する時間間隔設定部と、前記所定の時間間隔にもとづいて、前記ビデオデータの時間軸上に複数の探索範囲を設定する探索範囲設定部と、前記ビデオデータのメタデータにもとづいて、前記複数の探索範囲に存在する前記ビデオデータを順次再生する再生部と、を有する情報処理装置が提供される。
【０００９】
また本開示によれば、ビデオデータの再生速度に基づいて前記ビデオデータの時間軸上の所定の時間間隔を設定し、前記所定の時間間隔に基づいて、前記ビデオデータの時間軸上に複数の探索範囲を設定し、前記ビデオデータのメタデータに基づいて、前記複数の探索範囲に存在する前記ビデオデータを順次再生する、情報処理方法が提供される。
【発明の効果】
【００１０】
以上説明したように本開示によれば、コンテンツ中の視聴したい箇所を探索する探索性と、コンテンツの視聴性との両立を考慮した高速再生を行うための情報処理装置、情報処理方法、及びプログラムが提供される。
【図面の簡単な説明】
【００１１】
【図１】本開示の一実施形態に係る情報処理装置の概要を示す説明図である。
【図２】同実施形態に係る情報処理装置の機能構成を示すブロック図である。
【図３】同実施形態に係る情報処理装置における基準位置及び探索範囲の設定についての説明図である。
【図４】同実施形態に係る情報処理装置における表示位置の決定基準の一例についての説明図である。
【図５】同実施形態に係る情報処理装置における表示位置の決定基準の他の一例についての説明図である。
【図６】同実施形態に係る情報処理装置における表示位置の決定基準の他の一例についての説明図である。
【図７】同実施形態に係る情報処理装置における表示位置の決定基準の他の一例についての説明図である。
【図８】同実施形態に係る情報処理装置の表示画像決定処理における連続表示区間についての説明図である。
【図９】同実施形態に係る情報処理装置が再生する動画像コンテンツデータのＧＯＰ構造についての説明図である。
【図１０】同実施形態に係る情報処理装置の表示画像決定処理における連続表示区間の表示枚数の一例を示す表である。
【図１１】同実施形態に係る情報処理装置の表示画像決定における表示位置と表示画像の関係を示す図である。
【図１２】同実施形態に係る情報処理装置の表示画像決定動作の一例を示すフローチャートである。
【図１３】高速再生から通常の再生速度で再生を開始するときに生じる状況の一例を示す説明図である。
【図１４】図１３に示す状況を解消するための解決案１を示す説明図である。
【図１５】図１３に示す状況を解消するための解決案２を示す説明図である。
【図１６】同実施形態に係る情報処理装置において高速再生から通常の再生速度で再生を開始するときの状況得を示す説明図である。
【図１７】本開示の一実施形態に係る情報処理装置が携帯電話である場合のハードウェア構成の一例を示すブロック図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．構成
２．表示画像の決定
３．動作例
４．効果の例
５．変形例
【００１４】
＜１．構成＞
まず図１及び図２を参照しながら、本開示の一実施形態に係る情報処理装置の構成について説明する。図１は、本開示の一実施形態に係る情報処理装置の概要を示す説明図である。図２は、同実施形態に係る情報処理装置の機能構成を示すブロック図である。
【００１５】
本実施形態では図１に示されるように、テレビ受像機２０に接続された録画再生装置１０が、録画したコンテンツを高速再生する例について説明する。
【００１６】
図２を参照すると、録画再生装置１０は、再生制御部１００と、表示画像決定部１０５と、再生操作受付部１１０と、符号供給制御部１１５と、非多重化制御部１２０と、非多重化器１２５と、復号化制御部１３０と、復号化器１３５と、表示制御部１４０と、チャプター情報記憶部１５０と、特徴量情報記憶部１５５と、コンテンツ情報記憶部１６０と、符号データ記憶部１６５と、を主に有する。
【００１７】
（再生制御部１００）
再生制御部１００は、表示画像決定部１０５と、符号供給制御部１１５と、非多重化制御部１２０と、復号化制御部１３０と、表示制御部１４０とを制御することによって、映像コンテンツの再生動作を制御することができる。
【００１８】
（表示画像決定部１０５）
表示画像決定部１０５は、再生操作受付部１１０により受付けられたユーザ操作により設定された高速再生の再生速度に基づいて、高速再生において表示される画像を決定する機能を有する。ここでいう高速再生は、例えば早送り再生、及び早戻し再生を含む概念である。表示画像決定部１０５は、再生速度に応じた時間間隔でコンテンツ中の基準位置を決定する基準位置決定部、基準位置に基づいた時間軸上の探索範囲を設定する探索範囲設定部、及び、探索範囲におけるコンテンツのメタデータに基づいて表示画像を選択する選択部の一例である。
【００１９】
表示画像決定部１０５は、コンテンツの再生速度に応じた時間間隔で時間軸上の基準位置を決めた後、この基準位置に基づいた探索範囲を設定して探索範囲の中から表示画像を選択する。表示画像決定部１０５は、再生速度が大きいほど基準位置の間隔を広くする。また表示画像決定部１０５は、再生するコンテンツのメタデータに基づいて、探索範囲の中から表示画像を選択する。ここで用いられるメタデータの一例としては、ユーザ又はコンテンツ提供者などにより付与されたチャプターポイントの情報、及びコンテンツの画像及び音声の少なくともいずれかを解析することにより得られる特徴量などが挙げられる。また探索範囲は、基準位置の近傍に設定される。例えば探索範囲は、基準位置を含む範囲であってよい。また探索範囲は、基準位置を中心とした範囲であってよい。通常の高速再生では、再生速度に応じた時間間隔で表示画像が選択される。しかし、単純に等間隔で表示画像を選択すると、コンテンツの内容を判断せずに表示画像を選択することになり、ユーザは見たい場面を探し難くなる。一方、単純にメタデータに基づいて表示画像を選択するだけでは、時間軸上に偏ってメタデータが配置されていた場合にユーザ自身が見たい箇所をコンテンツ全体から探すことが難しい。そこで、本実施形態においては、コンテンツを高速再生する再生速度に応じた時間間隔で基準位置を決め、この基準位置の近傍においてメタデータに基づいてより意味のある画像が表示されるように表示画像の位置が補正される。
【００２０】
また探索範囲の大きさは、高速再生の再生速度に応じた大きさであってよい。表示画像決定部１０５は、再生速度が大きくなるほど、探索範囲の大きさを大きくしてよい。また表示画像決定部１０５は、１つの探索範囲から複数の表示画像を選択してもよい。表示画像決定部１０５が表示画像を決定する方法の詳細については、後述される。表示画像決定部１０５は、実際には復号化器１３５にデータを供給する供給範囲を決定することにより表示画像を決定することができる。
【００２１】
（再生操作受付部１１０）
再生操作受付部１１０は、ユーザの再生操作を受付ける機能を有する。ここでいう再生操作は、再生するコンテンツの選択操作、再生開始操作、再生速度（例えば１０倍速、３０倍速、１２０倍速）の設定操作（再生方向の設定を含む）、及び再生停止操作を含むことができる。再生操作受付部１１０は、設定された再生速度を表示画像決定部１０５に供給することができる。
【００２２】
（符号供給制御部１１５）
符号供給制御部１１５は、表示画像決定部１０５により供給範囲が決定されると、例えば所定のＭＰＥＧ  Ｃｏｄｅｃなどで圧縮されている符号データをメモリ上に読み込む。
【００２３】
（非多重化制御部１２０）
非多重化制御部１２０は、非多重化器１２５を用いて符号データを非多重化する。ここで符号化データは、ビデオ及びオーディオなどのデータが多重化されたデータである。このため、非多重化制御部１２０は、この符号データを非多重化することによりビデオ及びオーディオなどを分離することができる。ビデオデータのみを使用する高速再生では、非多重化制御部１２０は、ビデオ以外のデータを破棄する。
【００２４】
（非多重化器１２５）
非多重化器１２５は、非多重化制御部１２０の制御に従って、符号データを非多重化する。
【００２５】
（復号化制御部１３０）
復号化制御部１３０は、非多重化されたビデオデータを復号化処理する。復号化制御部１３０は、復号化器１３５を用いて復号化処理を行う。Ｉ−Ｐｉｃｔｕｒｅのみを表示する高速再生では、復号化制御部１３０は、Ｉ−Ｐｉｃｔｕｒｅ以外のデータを破棄することができる。
【００２６】
（復号化器１３５）
復号化器１３５は、復号化制御部１３０の制御に従って、非多重化されたビデオデータの復号化処理を行うことができる。
【００２７】
（表示制御部１４０）
表示制御部１４０は、ＴＶ２０の画面表示を制御する機能を有する。表示制御部１４０は、復号化された表示画像であるＩ−ＰｉｃｔｕｒｅをＴＶ２０の画面上に表示するように処理する。
【００２８】
（記憶部）
図２においては、チャプター情報記憶部１５０、特徴量情報記憶部１５５、コンテンツ情報記憶部１６０、及び符号データ記憶部１６５が示されている。これらの記憶部は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体、ＤＶＤ（Ｄｉｇｉｔａｌ  Ｖｅｒｓａｔｉｌｅ  Ｄｉｓｋ）等の光記録媒体などが用いられてよい。
【００２９】
チャプター情報記憶部１５０、特徴量情報記憶部１５５、コンテンツ情報記憶部１６０、及び符号データ記憶部１６５は、同じ記憶媒体により実現されてもよいし、少なくとも一部が別体の記憶媒体により実現されてよい。また、これらの情報は、録画再生装置１０に内蔵された記憶部に記憶されていてもよいし、図示しない外部装置に記憶されていてもよい。なお、外部装置に記憶された情報を録画再生装置１０が用いる場合には、図示しない通信部を介して情報を取得してよい。
【００３０】
以上、本実施形態に係る録画再生装置１０の機能の一例を示した。上記の各構成要素は、汎用的な部材や回路を用いて構成されていてもよいし、各構成要素の機能に特化したハードウェアにより構成されていてもよい。また、各構成要素の機能を、１つまたは複数のＣＰＵ（Ｃｅｎｔｒａｌ  Ｐｒｏｃｅｓｓｉｎｇ  Ｕｎｉｔ）などの演算装置が、これらの機能を実現する処理手順を記述した制御プログラムを実行することにより行ってもよい。従って、本実施形態を実施する時々の技術レベルに応じて、適宜、利用する構成を変更することが可能である。
【００３１】
なお、上述のような本実施形態に係る録画再生装置１０の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００３２】
＜２．表示画像の決定＞
次に、図３〜図１１を参照しながら、本開示の一実施形態に係る情報処理装置における表示画像の決定について詳細に説明する。図３は、同実施形態に係る情報処理装置における基準位置及び探索範囲の設定についての説明図である。図４は、同実施形態に係る情報処理装置における表示位置の決定基準の一例についての説明図である。図５は、同実施形態に係る情報処理装置における表示位置の決定基準の他の一例についての説明図である。図６は、同実施形態に係る情報処理装置における表示位置の決定基準の他の一例についての説明図である。図７は、同実施形態に係る情報処理装置における表示位置の決定基準の他の一例についての説明図である。図８は、同実施形態に係る情報処理装置の表示画像決定処理における連続表示区間についての説明図である。図９は、同実施形態に係る情報処理装置が再生する動画像コンテンツデータのＧＯＰ構造についての説明図である。図１０は、同実施形態に係る情報処理装置の表示画像決定処理における連続表示区間の表示枚数の一例を示す表である。図１１は、同実施形態に係る情報処理装置の表示画像決定における表示位置と表示画像の関係を示す図である。
【００３３】
（基準位置及び探索範囲の設定）
表示画像決定部１０５は、高速再生の再生速度に応じた時間間隔でコンテンツ中の基準位置を設定することができる。この間隔は、再生速度が大きいほど大きく設定されてよい。そして表示画像決定部１０５は、基準位置に基づいて探索範囲を設定する。この探索範囲は、基準位置の近傍に設けられる。例えば探索範囲は、基準位置を含む範囲であってよい。また探索範囲は、基準位置を中心とする範囲であってよい。また探索範囲は、再生速度に応じた大きさの範囲であってよい。具体的には探索範囲は、再生速度が大きいほど広い範囲であってよい。なお、後に示されるように探索範囲内で表示位置が基準位置と異なる位置に設定される場合であっても、再生速度をある程度一定に保つために、次の基準位置は、最も最近設定された基準位置から所定の時間間隔で設定される。
【００３４】
具体例として図３の場合を挙げて説明する。図３の上図には、コンテンツ中の現在位置が示される。ここで現在位置とは、例えば再生するコンテンツの時間軸上の開始位置である。他の実施例として、現在位置にコンテンツの現在再生している時点を使用することもできる。例えば現在位置は、コンテンツの再生速度を変更した時点であってよい。表示画像決定部１０５は、この現在位置から倍速に応じた間隔で基準位置を決定する。例えば図３の中図には１０倍速の場合の基準位置及び探索範囲が示される。また図３の下図には３０倍速の場合の基準位置及び探索範囲が示される。このように３０倍速の場合には、１０倍速の場合よりも大きい間隔で基準位置が決定される。基準位置が決定されると、表示画像決定部１０５は、次に基準位置に基づいて探索範囲を設定する。図３の例では、探索範囲は基準位置を中心とする所定の範囲である。探索範囲の大きさは、再生速度に基づいて決定されてよい。図３の例では、１０倍速のときの探索範囲の大きさよりも３０倍速のときの探索範囲の大きさの方が大きい。
【００３５】
（表示位置の決定）
表示画像決定部１０５は、コンテンツのメタデータに基づいて、設定された探索範囲内で表示位置を決定することができる。例えば図４に示されるように探索範囲内にチャプターが設定されている場合には、表示画像決定部１０５は、このチャプターの位置を表示位置とすることができる。また図５に示されるように１つの探索範囲内に複数のチャプター（チャプター１及びチャプター２）が設定されている場合には、表示画像決定部１０５は、基準位置からより近くに位置するチャプターの位置を表示位置としてもよい。図５においてチャプター１とチャプター２とでは、チャプター２の方が基準位置に近い。このためこの場合にはチャプター２の時点が表示位置となる。或いは図示していないが、１つの探索範囲内に複数のチャプターが設定されている場合に、表示画像決定部１０５は、複数のチャプターのうち特徴量に基づいて選択されたチャプターの位置を表示位置としてもよい。
【００３６】
また図６に示されるように、探索範囲内にチャプターが設定されていない場合には、表示画像決定部１０５は、特徴量に基づいて表示位置を決定してよい。例えば表示画像決定部１０５は、特徴量の最も大きい位置を表示位置とすることができる。ところが、単純に特徴量の最も大きい位置を表示位置とすることが必ずしも適切でない場合もある。例えば図７に示されるように、特徴量が探索範囲内を通じて低い場合がある。このときは、探索範囲内で特徴量の最も大きい位置であっても、必ずしも特徴的なシーンの画像であるとは限らない。そこで表示画像決定部１０５は、特徴量の閾値を設けて、閾値よりも大きい特徴量を有する時点がないときには、基準位置を表示位置とすることができる。
【００３７】
（表示位置に基づいた表示画像の選択）
なお図８の上図に示されるように１つの探索範囲内から所定の間隔毎に１枚の表示画像が表示される場合よりも、図８の下図に示されるように連続表示区間が設けられる場合には、コンテンツの視認性が高まるという利点がある。例えば連続表示区間を設けることによって、ニュースなどの字幕を読むことができる。またドラマなどのコンテンツでは、連続表示区間を設けることによって、表示されているシーンの内容を把握しやすくなる。また連続表示区間を設けることによって、高速再生の時間方向を把握することができる。
【００３８】
なおここでは、コンテンツの圧縮規格がＭＰＥＧである場合を想定している。図８において表示画像を含む矩形は、図９に示されるＧＯＰ（Ｇｒｏｕｐ  Ｏｆ  Ｐｉｃｔｕｒｅ）構造を有している。図９を参照すると、ＧＯＰは、ＧＯＰヘッダー、Ｉピクチャ（Ｉｎｔｒａ  ｐｉｃｔｕｒｅ）、Ｐピクチャ（Ｐｒｅｄｉｃｔｉｖｅ  ｐｉｃｔｕｒｅ）、Ｂピクチャ（Ｂｉ−ｄｉｒｅｃｔｉｏｎａｌ  ｐｒｅｄｉｃｔｉｖｅ  ｐｉｃｔｕｒｅ）を含むことができる。Ｉピクチャは、フレーム内符号化画像であり、予測を用いない。Ｉピクチャは、その１枚の画像だけをみて圧縮したものであり、圧縮率は低いが精度が高い。またＩピクチャは、この情報のみで画像を復元することができる。またＰピクチャは、フレーム間順方向予測符号化画像であり、先行するフレームを参照する一方向の動き補償予測を用いた画像である。ＰピクチャはＩピクチャよりも小さい容量で同等の画質を実現することができる。またＢピクチャは、双方向予測符号化画像であり、前後のフレームを参照する双方向の動き補償予測を用いた画像である。ＢピクチャはＩピクチャ及びＰピクチャよりも小さい容量で同等の画質を実現することができる。ただし、Ｐピクチャ及びＢピクチャは、他のフレームを参照しないとそれ単体では画像を復元することができない。上述の通りＩピクチャはそれ単体で画像を復元することができる。各ＧＯＰには最低１枚のＩピクチャを含む。そこで、表示画像にはＩピクチャを用いることが望ましい。
【００３９】
再び図８に戻って説明を続ける。連続表示区間において表示される表示画像の枚数は、例えば高速再生の再生速度に基づいて決められてもよい。図１０を参照すると、再生速度に応じた表示枚数の一例が示される。例えば１２０倍速、及び−１２０倍速で再生されるとき、連続表示区間の表示枚数は２枚であってよい。また３０倍速、及び−３０倍速で再生されるとき、連続表示区間の表示枚数は３枚であってよい。また１０倍速、−１倍速、及び−１０倍速で再生されるとき、連続表示区間の表示枚数は４枚であってよい。このように、高速再生の再生速度が高速になるほど表示枚数を減らすことによって、視聴者が感じる直感的な高速性を向上させることができる。また高速再生の再生速度が遅くなるほど表示枚数を増やすことによって、視聴者が感じる直感的な映像の視認性を向上させることができる。
【００４０】
なお、上記にて表示位置の決定方法について述べたが、チャプター位置及び特徴量の大きい点はＧＯＰ構造と関係なく付与されるため、表示位置もＧＯＰ構造に関わらず決定される。すなわち、表示位置に相当する画像が必ずしもＩピクチャであるとは限らない。そこで、表示位置から表示画像を決定する方法について図１１を参照しながらここで述べる。なおここでは連続表示区間の表示枚数は３枚である場合について説明する。例えば表示画像決定部１０５は、パターン１に示されるように、表示位置の直後から３つのＧＯＰに含まれるＩピクチャを表示画像としてもよい。また表示画像決定部１０５は、パターン２に示されるように、表示位置を含むＧＯＰから後３つのＧＯＰに含まれるＩピクチャを表示画像としてもよい。また表示画像決定部１０５は、パターン３に示されるように、表示位置を中心とした前後３つのＧＯＰに含まれるＩピクチャを表示画像としてもよい。例えば特徴量の大きい点やチャプターは、シーンが切り替わる時点となることが多い。このことに鑑みると、パターン１のようにシーンが切り替わった後からの所定区間を表示させてもよい。またパターン３のようにシーンが切り替わる様子を表示させてもよい。
【００４１】
以上説明したように、表示画像決定部１０５は、コンテンツ中に再生速度に応じた時間間隔で基準位置を設定し、この基準位置に基づいた探索範囲を設定する。基準位置に相当する画像をそのまま表示した場合には、所定の時間間隔でコンテンツ内容を表示する高速再生を行うことはできるが、ここで表示される画像が必ずしも画像付近のシーンを代表する画像として適切であるとは限らない。そこで、表示画像決定部１０５は、探索範囲中で他に表示画像として適切な画像があるか否かを判断して表示位置を決定することができる。ここで表示画像決定部１０５は、探索範囲中でコンテンツのメタデータに基づいて表示位置を決定することができる。これにより再生速度に応じた所定の時間間隔で基準位置を決定してこの近傍で表示位置を決めることにより、コンテンツの時間軸上の位置感覚を損なうことなく、より視聴者にとって重要なシーンを表示させることができる。なお表示位置に相当する画像がそれ単体で画像を復元することのできるデータであるとは限らないため、表示画像決定部１０５は、上述の通り表示位置に基づいてＧＯＰ単位でデコーダに供給するデータ範囲である供給範囲を決定し、このＧＯＰに含まれるＩピクチャを表示画像とすることができる。すなわち表示画像決定部１０５は、供給範囲を決定することにより表示画像を決定している。
【００４２】
＜３．動作例＞
次に、図１２を参照しながら本開示の一実施形態に係る情報処理装置の表示画像決定動作の一例について説明する。図１２は、同実施形態に係る情報処理装置の表示画像決定動作の一例を示すフローチャートである。
【００４３】
まず表示画像決定部１０５は、次の表示画像が決まっているか否かを判断する（Ｓ１００）。例えばここで次の表示画像が決まっている場合としては、連続表示区間を再生中である場合が挙げられる。この場合には、表示画像決定部１０５は、次のＧＯＰに含まれるＩピクチャを表示画像とする。
【００４４】
一方次の表示画像が決まっていない場合には、次に表示画像決定部１０５は、現在の再生速度を取得する（Ｓ１０５）。そして表示画像決定部１０５は、取得した再生速度に応じた時間間隔で次の基準位置を決定する（Ｓ１１０）。なおここで表示画像決定部１０５は、前回の基準位置から、再生速度に応じた時間間隔で次の基準位置を決定することができる。なお基準位置を初めて決定する場合には、表示画像決定部１０５は、現在位置から、再生速度に応じた時間間隔で次の基準位置を決定することができる。なお上述の通り基準位置と表示画像の位置とは差異が生じることがある。このため、内部処理として、表示画像決定部１０５は、表示画像の位置を決定したときに表示画像の位置を示す時刻と基準位置を示す時刻との差分情報を保持しておき、この差分情報に基づいて基準位置を設定して次の基準位置を決定してもよい。
【００４５】
また次に表示画像決定部１０５は、基準位置に基づき探索範囲を設定する（Ｓ１１５）。この探索範囲の大きさは、再生速度に応じた大きさであってよい。そして表示画像決定部１０５は、探索範囲内にチャプターが存在するか否かを判断する（Ｓ１２０）。ここでチャプターが存在すると判断された場合には、表示画像決定部１０５は、最も基準位置に近いチャプターの位置を表示位置とする（Ｓ１２５）。一方探索範囲内にチャプターが存在しないと判断された場合には、次に表示画像決定部１０５は、探索範囲内の画像に対する特徴量情報があるか否かを判断する（Ｓ１３０）。そして探索範囲内に特徴量情報が有ると判断された場合には、表示画像決定部１０５は、特徴量に基づいて表示位置を決定する（Ｓ１３５）。一方、探索範囲内に特徴量情報がないと判断された場合には、表示画像決定部１０５は、基準位置を表示位置とする（Ｓ１４０）。
【００４６】
以上説明したように表示位置が決定されると、次に表示画像決定部１０５は、表示位置に基づいて表示画像を選択する（Ｓ１４５）。そして表示画像決定部１０５は、選択した表示画像を特定するための情報を生成し、この情報に基づいて符号供給制御部１１５が符号データを供給し、非多重化制御部１２０が符号データを非多重化し、非多重化されたデータを復号化制御部１３０が復号化させ、復号化されたデータを表示制御部１４０が表示させることによって、表示画像が出力される（Ｓ１５０）。
【００４７】
そして次に表示画像決定部１０５は、コンテンツの終端まで表示画像が決定されたか否かを判断する（Ｓ１５５）。そして、コンテンツの終端まで表示画像が決定されたと判断されると、この表示画像決定処理は終了される。一方、未だコンテンツの終端まで表示画像が決定されていないと判断された場合には、再びステップＳ１００から処理が繰り返される。
【００４８】
＜４．効果の例＞
上述の通り、再生速度に応じた時間間隔で基準位置を決定した後に、基準位置の近傍でコンテンツのメタデータに基づいて表示画像を決定することにより、時系列的感覚を損なうことなく、より重要なシーンを表示させることができる。
【００４９】
近年、スマートフォンやタブレットの普及、及びネットワーク経由の映像コンテンツの入手機会の増加により、ユーザが映像コンテンツの視聴をする機会が増大してきている。映像コンテンツの数量が増大すると、ユーザが自身の嗜好に合わさせたコンテンツを探索して視聴することが困難となる。このような状況に対して、キーワードやユーザの嗜好に基づいた自動録画機能や、コンテンツ推薦機能が普及している。またソーシャル・ネットワークなどで友人などが膨大な映像コンテンツからユーザの嗜好にあったコンテンツを推薦する手法が確立されつつある。
【００５０】
ところが、上記の手法は、コンテンツ単位でユーザが効率よく嗜好に合ったコンテンツを抽出するための技術であり、コンテンツ自体の視聴時間を短縮するわけではない。また本当に抽出されたコンテンツがユーザの嗜好に合ったものであるかを確認するため、ユーザが実際にコンテンツの内容を再生して確認している。そこで、コンテンツの視聴時間を短縮する方法が求められている。
【００５１】
コンテンツの視聴時間を短縮する方法としては、例えばＣＭ（Ｃｏｍｍｅｒｃｉａｌ  Ｍｅｓｓａｇｅ）飛ばし機能、早見再生機能、ダイジェスト再生機能、早送り（早戻し）機能などが挙げられる。ところが、ＣＭ飛ばし機能は、本編を飛ばすことができないため視聴時間の短縮効果は薄い。また早見再生機能は早くても２倍程度の再生速度であるため、また視聴時間の短縮効果は限られたものである。なおここで早見再生機能とは、音声付きの高速再生機能のことを言う。またダイジェスト再生機能は、主にビデオ及びオーディオの特徴量を用いる。このため、コンテンツの時間軸感覚は失われる。またコンテンツの内容を把握することができるとは限らない。また特徴がないとして飛ばされた区間が、本当にユーザにとって見なくてよいシーンであったとは限らない場合がある。例えば、サッカーの試合映像のキックオフのシーンが特徴のないシーンと判断された場合には、ユーザが見たいキックオフのシーンが省かれるかもしれない。また好きな芸能人が出演している場面を見たい場合であっても、特徴量が低ければ省略されてしまう。また既存の高速再生（早送りまたは早戻し）は、コンテンツの内容と関係なく所定の時間間隔で表示位置が決定される。このため、再生速度が高速になると相関のない画像が次々と表示されて、コンテンツの内容が把握しづらくなる。
【００５２】
これに対し、本開示において提案した方法によれば、上記の通り、再生速度に応じた時間間隔で基準位置を決定した後に、基準位置の近傍でコンテンツのメタデータに基づいて表示画像を決定することにより、時系列的感覚を損なうことなく、より重要なシーンを表示させることができる。これにより、以下に挙げられる効果を奏することができる。
・見たい箇所の探索性が向上する。
・見たくない箇所を飛ばして視聴することができる。
・ただ再生時間を短縮するだけではなく、コンテンツ内容を把握することが容易となる。
・コンテンツ内での時間軸上の再生位置を把握することが容易となる。
・ユーザの需要に応じてコンテンツを短縮することができる。
【００５３】
また、上記のような再生方法により、以下のような効果も期待できる。
・同じ時間でより多くの映像コンテンツを視聴することができる。
・映像コンテンツの視聴機会を増やすことができる。
・映像コンテンツの録画、購入の動機を喚起することができる。
・簡易お試し視聴サービスを展開する機会
【００５４】
また、表示画像に連続表示区間を設けることによって、次に図１３〜図１６を用いて説明するような効果もある。
【００５５】
図１３は、高速再生から通常の再生速度で再生を開始するときに生じる状況の一例を示す説明図である。図１４は、上記状況を解消するための解決案１を示す説明図である。図１５は、上記状況を解消するための解決案２を示す説明図である。図１６は、同実施形態に係る情報処理装置において高速再生から通常の再生速度で再生を開始するときの状況得を示す説明図である。
【００５６】
図１３を参照すると、一定間隔で表示画像が決定される場合には、例えば画像（２０）を見て視聴者が「ここから通常の速度で再生したい」と思い再生開始操作を行った場合、実際には画像（３０）から再生開始されるかもしれない。この状況に対する解決案１としては、例えば図１４に示されるように、画の切り替わりを遅くすることが考えられる。すなわち、同じ画像が長く表示される。この場合には、視聴者が画像（１０）を見て再生開始操作を行った場合に、所望通り画像（１０）から再生が開始されるかもしれない。しかし、ユーザ体験としての視聴性は低下する。
【００５７】
また図１５で示される解決案２のように、意図的に再生開始操作を検知した時点よりも前の画像から再生を開始することも考えられる。ところが、この方法では余分な処理が必要となってしまう。そこで、本開示の一実施形態に係る情報処理装置は、連続表示区間を設けて、近傍の画像を複数枚表示する。これにより、視聴者が再生開始操作をしようと思った時点から実際に再生開始操作が検知されるまでの間に差が生じたとしても、近傍の画像から再生を開始することができる。このとき、複数枚の画像を表示しているため、近い時刻に留まる時間は長くなっているのだが、画像に動きがあるためユーザ体験としての視聴性の低下を低減することができる。
【００５８】
＜５．変形例＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５９】
例えば、上記実施形態では、高速再生と並行して表示画像決定処理が行われることとしたが、本技術はかかる例に限定されない。例えば、予め再生速度に応じた表示画像を決定する表示画像決定装置と、表示制御装置とは別体の装置であってもよい。
【００６０】
また上記実施形態では、表示制御装置と表示装置とが別体の装置である場合について説明したが、本技術はかかる例に限定されない。例えば、表示装置が内蔵された情報処理装置に対しても本技術を適用することができる。
【００６１】
また上記実施形態では、再生されるコンテンツは録画された番組コンテンツであることとしたが、本技術はかかる例に限定されない。例えば再生されるコンテンツは、記憶媒体に記憶された映画コンテンツであってもよい。或いは再生されるコンテンツは、ネットワークを介して供給される動画コンテンツであってもよい。
【００６２】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００６３】
なお、上記実施形態では、コンテンツ再生制御装置としての情報処理装置が録画再生装置である場合について説明したが、本技術はかかる例に限定されない。例えば情報処理装置は、ＰＣ（Ｐｅｒｓｏｎａｌ  Ｃｏｍｐｕｔｅｒ）、家庭用映像処理装置（ＤＶＤレコーダ、ビデオデッキなど）、ＰＤＡ（Ｐｅｒｓｏｎａｌ  Ｄｉｇｉｔａｌ  Ａｓｓｉｓｔａｎｔｓ）、家庭用ゲーム機器、家電機器などの情報処理装置であってもよい。また、情報処理装置は、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。映像コンテンツを再生する機能を有していればよい。
【００６４】
また、上述の通り表示画像情報生成装置と表示制御装置とが別体の装置である場合には、上記実施形態において説明した情報処理装置の画像情報生成装置としての機能を表示制御装置と別体の装置として実現することができる。この場合には、画像情報生成装置は映像コンテンツを再生する機能を有していなくてもよい。
【００６５】
なお、以下図１７を参照しながら情報処理装置が携帯電話である場合のハードウェア構成の一例を示す。図１７は、本開示の一実施形態に係る情報処理装置が携帯電話である場合のハードウェア構成の一例を示すブロック図である。
【００６６】
ここで、携帯電話３０の構成の一例について説明する。図１７を参照すると、携帯電話３０は、例えば、電話網アンテナ８１７と、電話処理部８１９と、ＧＰＳアンテナ８２１と、ＧＰＳ処理部８２３と、Ｗｉｆｉアンテナ８２５と、Ｗｉｆｉ処理部８２７と、地磁気センサ８２９と、加速度センサ８３１と、ジャイロセンサ８３３と、気圧センサ８３５と、撮像部８３７と、ＣＰＵ（Ｃｅｎｔｒａｌ  Ｐｒｏｃｅｓｓｉｎｇ  Ｕｎｉｔ）８３９と、ＲＯＭ（Ｒｅａｄ  Ｏｎｌｙ  Ｍｅｍｏｒｙ）８４１と、ＲＡＭ（Ｒａｎｄｏｍ  Ａｃｃｅｓｓ  Ｍｅｍｏｒｙ）８４３と、操作部８４７と、表示部８４９と、デコーダ８５１と、スピーカ８５３と、エンコーダ８５５と、マイク８５７と、記憶部８５９とを有する。なお、ここで示すハードウェア構成は一例であり、構成要素の一部が省略されてもよい。また、ここで示される構成要素以外の構成要素をさらに含んでもよいことは言うまでもない。
【００６７】
（電話網アンテナ８１７）
電話網アンテナ８１７は、通話及び通信用の携帯電話網と無線で接続する機能を有するアンテナの一例である。電話網アンテナ８１７は、携帯電話網を介して受信される通話信号を電話処理部８１９に供給することができる。
【００６８】
（電話処理部８１９）
電話処理部８１９は、電話網アンテナ８１７により送受信される信号に対する各種の信号処理を行う機能を有する。電話処理部８１９は、例えばマイク８５７を介して入力され、エンコーダ８５５によりエンコードされた音声信号に対して各種の信号処理を行い、電話網アンテナ８１７に供給することができる。また電話処理部８１９は、電話網アンテナ８１９から供給される音声信号に対して各種の信号処理を行い、デコーダ８５１に供給することができる。
【００６９】
（ＧＰＳアンテナ８２１）
ＧＰＳアンテナ８２１は、測位衛星からの信号を受信するアンテナの一例である。ＧＰＳアンテナ８２１は、複数のＧＰＳ衛星からのＧＰＳ信号を受信することができ、受信したＧＰＳ信号をＧＰＳ処理部８２３に入力する。
【００７０】
（ＧＰＳ処理部８２３）
ＧＰＳ処理部８２３は、測位衛星から受信された信号に基づいて位置情報を算出する算出部の一例である。ＧＰＳ処理部８２３は、ＧＰＳアンテナ８２１から入力された複数のＧＰＳ信号に基づいて現在の位置情報を算出し、算出した位置情報を出力する。具体的には、ＧＰＳ処理部８２３は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該携帯電話３０までの距離をそれぞれ算出する。そして、算出された各ＧＰＳ衛星の位置と、各ＧＰＳ衛星から当該携帯電話３０までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、通信アンテナ８２５を介して外部のサーバから取得されてもよい。
【００７１】
（Ｗｉｆｉアンテナ８２５）
Ｗｉｆｉアンテナ８２５は、例えば無線ＬＡＮ（Ｌｏｃａｌ  Ａｒｅａ  Ｎｅｔｗｏｒｋ）通信網との通信信号をＷｉｆｉの仕様に従って送受信する機能を有するアンテナである。Ｗｉｆｉアンテナ８２５は、受信した信号を通信処理部８２７に供給することができる。
【００７２】
（Ｗｉｆｉ処理部８２７）
Ｗｉｆｉ処理部８２７は、Ｗｉｆｉアンテナ８２５から供給された信号に各種の信号処理を行う機能を有する。Ｗｉｆｉ処理部８２７は、供給されたアナログ信号から生成したデジタル信号をＣＰＵ８３９に供給することができる。
【００７３】
（地磁気センサ８２９）
地磁気センサ８２９は、地磁気を電圧値として検出するセンサである。地磁気センサ８２９は、Ｘ軸方向、Ｙ軸方向、及びＺ軸方向の地磁気をそれぞれ検出する３軸地磁気センサであってよい。地磁気センサ８２９は、検出した地磁気データをＣＰＵ８３９に供給することができる。
【００７４】
（加速度センサ８３１）
加速度センサ８３１は、加速度を電圧値として検出するセンサである。加速度センサ８３１は、Ｘ軸方向に沿った加速度、Ｙ軸方向に沿った加速度、及びＺ軸方向に沿った加速度をそれぞれ検出する３軸加速度センサであってよい。加速度センサ８３１は、検出した加速度データをＣＰＵ８３９に供給することができる。
【００７５】
（ジャイロセンサ８３３）
ジャイロセンサ８３３は、物体の角度や角速度を検出する計測器の一種である。このジャイロセンサ８３３は、Ｘ軸、Ｙ軸、及びＺ軸周りの回転角の変化する速度（角速度）を電圧値として検出する３軸ジャイロセンサであってよい。ジャイロセンサ８３３は、検出した角速度データをＣＰＵ８３９に供給することができる。
【００７６】
（気圧センサ８３５）
気圧センサ８３５は、周囲の気圧を電圧値として検出するセンサである。気圧センサ８３５は、気圧を所定のサンプリング周波数で検出し、検出した気圧データをＣＰＵ８３９に供給することができる。
【００７７】
（撮像部８３７）
撮像部８３７は、ＣＰＵ８３９の制御に従い、レンズを介して静止画像又は動画像を撮影する機能を有する。撮像部８３７は、撮影した画像を記憶部８５９に記憶させてもよい。
【００７８】
（ＣＰＵ８３９）
ＣＰＵ８３９は、演算処理装置及び制御装置として機能し、各種プログラムに従って携帯電話３０内の動作全般を制御する。またＣＰＵ８３９は、マイクロプロセッサであってもよい。このＣＰＵ８３９は、各種プログラムに従って様々な機能を実現することができる。
【００７９】
（ＲＯＭ８４１，ＲＡＭ８４３）
ＲＯＭ８４１は、ＣＰＵ８３９が使用するプログラムや演算パラメータ等を記憶することができる。ＲＡＭ８４３は、ＣＰＵ８３９の実行において使用するプログラムや、その実行において適宜変化するパラメータ等を一時記憶することができる。
【００８０】
（操作部８４７）
操作部８４７は、ユーザ５が所望の操作をするための入力信号を生成する機能を有する。操作部８４７は、例えばタッチセンサ、マウス、キーボード、ボタン、マイク、スイッチ及びレバーなどユーザが情報を入力するための入力部と、ユーザによる入力に基づいて入力信号を生成し、ＣＰＵ８３９に出力する入力制御回路などから構成されてよい。
【００８１】
（表示部８４９）
表示部８４９は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示部８４９は、ユーザ５に対して画面を表示することにより情報を提供することができる。
【００８２】
（デコーダ８５１，スピーカ８５３）
デコーダ８５１は、ＣＰＵ８３９の制御に従い、入力されたデータのデコード及びアナログ変換などを行う機能を有する。デコーダ８５１は、例えば電話網アンテナ８１７及び電話処理部８１９を介して入力された音声データのデコード及びアナログ変換などを行い、音声信号をスピーカ８５３に出力することができる。またデコーダ８５１は、例えばＷｉｆｉアンテナ８２５及びＷｉｆｉ処理部８２７を介して入力された音声データのデコード及びアナログ変換などを行い、音声信号をスピーカ８５３に出力することができる。スピーカ８５３は、デコーダ８５１から供給される音声信号に基づいて音声を出力することができる。
【００８３】
（エンコーダ８５５，マイク８５７）
エンコーダ８５５は、ＣＰＵ８３９の制御に従い、入力されたデータのデジタル変換及びエンコードなどを行う機能を有する。エンコーダ８５５は、マイク８５７から入力される音声信号のデジタル変換及びエンコードなどを行い、音声データを出力することができる。マイク８５７は、音声を集音し、音声信号として出力することができる。
【００８４】
（記憶部８５９）
記憶部８５９は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００８５】
携帯電話３０は、上記のようなハードウェア構成により、表示画像決定部１０５の機能を実装することによって表示画像情報生成装置として機能することができる。或いは、携帯電話３０は、上記のようなハードウェア構成により、表示画像情報に基づいてコンテンツを再生する再生制御部１００の機能を実装することにより、表示制御装置として機能することもできる。このような実施の形態についても、本開示の技術的範囲に属する。なお、ここで示される携帯電話３０の構成によれば、例えば電話網アンテナ８１７及び電話処理部８１９、又はＷｉｆｉアンテナ８２３及びＷｉｆｉ処理部８２７を介して接続される外部のサーバから取得されるコンテンツについて上記の処理を行うことができる。また図１７には図示していないが、携帯電話３０が放送波を受信する構成を有する場合には、携帯電話３０は、放送波により受信されるコンテンツについて表示画像情報を生成する表示画像生成装置、又はコンテンツを再生する表示制御装置として機能することができる。
【００８６】
なお、以下のような構成も本開示の技術的範囲に属する。
（１）
コンテンツの再生速度に応じた時間間隔で、コンテンツ再生における時間軸上の基準位置を決定する基準位置決定部と、
前記基準位置に基づいた前記時間軸上の探索範囲を設定する探索範囲設定部と、
それぞれの前記探索範囲における前記コンテンツのメタデータに基づいて、前記コンテンツの再生において表示される表示画像を選択する選択部と、
を備える、情報処理装置。
（２）
前記選択部は、前記探索範囲内において複数の前記表示画像を選択する、
前記（１）に記載の情報処理装置。
（３）
前記探索範囲設定部は、前記再生速度に基づいた大きさの前記探索範囲を設定する、
前記（１）または（２）のいずれかに記載の情報処理装置。
（４）
前記探索範囲設定部は、前記再生速度が速いほど大きい前記探索範囲を設定する、
前記（３）に記載の情報処理装置。
（５）
前記メタデータは、前記コンテンツに設定されたチャプターポイントの情報を含む、
前記（１）〜（４）のいずれかに記載の情報処理装置。
（６）
前記メタデータは、前記コンテンツの特徴量の情報を含む、
前記（１）〜（５）のいずれかに記載の情報処理装置。
（７）
前記メタデータは、前記コンテンツの特徴量及びチャプターポイントの情報を含み、
前記選択部は、前記特徴量よりも前記チャプターポイントの情報を優先して前記表示画像を選択する、
前記（１）〜（６）のいずれかに記載の情報処理装置。
（８）
選択された前記表示画像を表示させる表示制御部、
をさらに備える、前記（１）〜（７）のいずれかに記載の情報処理装置。
（９）
選択された前記表示画像の情報を送信する送信部、
をさらに備える、前記（１）〜（８）のいずれかに記載の情報処理装置。
（１０）
コンテンツの再生速度に応じた時間間隔で、コンテンツ再生における時間軸上の基準位置を決定することと、
前記基準位置に基づいた前記時間軸上の探索範囲を設定することと、
それぞれの前記探索範囲における前記コンテンツのメタデータに基づいて、前記コンテンツの再生において表示される表示画像を選択することと、
を含む、情報処理方法。
（１１）
コンピュータを、
コンテンツの再生速度に応じた時間間隔で、コンテンツ再生における時間軸上の基準位置を決定する基準位置決定部と、
前記基準位置に基づいた前記時間軸上の探索範囲を設定する探索範囲設定部と、
それぞれの前記探索範囲における前記コンテンツのメタデータに基づいて、前記コンテンツの再生において表示される表示画像を選択する選択部と、
を備える、情報処理装置として機能させるためのプログラム。
（１２）
ビデオデータの再生速度に基づいて前記ビデオデータの時間軸上の所定の時間間隔を設定する時間間隔設定部と、
前記所定の時間間隔にもとづいて、前記ビデオデータの時間軸上に複数の探索範囲を設定する探索範囲設定部と、
前記ビデオデータのメタデータにもとづいて、前記複数の探索範囲に存在する前記ビデオデータを順次再生する再生部と、
を有する情報処理装置。
（１３）
前記探索範囲設定部は、前記再生速度に基づいた大きさの前記探索範囲を設定する、
前記（１２）に記載の情報処理装置。
（１４）
前記探索範囲設定部は、前記再生速度が速いほど大きい前記探索範囲を設定する、
前記（１３）に記載の情報処理装置、
（１５）
ビデオデータの再生速度に基づいて前記ビデオデータの時間軸上の所定の時間間隔を設定し、
前記所定の時間間隔に基づいて、前記ビデオデータの時間軸上に複数の探索範囲を設定し、
前記ビデオデータのメタデータに基づいて、前記複数の探索範囲に存在する前記ビデオデータを順次再生する、
情報処理方法。
【符号の説明】
【００８７】
１０      録画再生装置（情報処理装置）
１００    再生制御部
１０５    表示画像決定部（基準位置決定部、探索範囲設定部、選択部）
１１０    再生操作受付部
１１５    符号供給制御部
１２０    非多重化制御部
１２５    非多重化器
１３０    復号化制御部
１３５    複合化器
１４０    表示制御部
２０      テレビ受像機
３０      携帯電話（情報処理装置）
【図１】
2013157061.tif 000003
【図２】
2013157061.tif 000004
【図３】
2013157061.tif 000005
【図４】
2013157061.tif 000006
【図５】
2013157061.tif 000007
【図６】
2013157061.tif 000008
【図７】
2013157061.tif 000009
【図８】
2013157061.tif 000010
【図９】
2013157061.tif 000011
【図１０】
2013157061.tif 000012
【図１１】
2013157061.tif 000013
【図１２】
2013157061.tif 000014
【図１３】
2013157061.tif 000015
【図１４】
2013157061.tif 000016
【図１５】
2013157061.tif 000017
【図１６】
2013157061.tif 000018
【図１７】
2013157061.tif 000019